(57)【要約】      （修正有）【課題】簡易な構成で回転演出の演出効果を高める遊技機用演出装置を提供する。【解決手段】演出装置２０は、支持軸（第１軸）が設けられた環状ベース部材に取り付けられる球状収容体４０と、球状収容体４０を包囲するように配置され支持軸回りに回動可能な回動装飾部材５０と、球状収容体４０内に収容される駆動モータを有する駆動装置と、を備え、駆動モータの駆動力を支持軸回りの回動力として回動装飾部材５０に伝達させることで回動装飾部材５０を支持軸回りに回動させる。これにより、球状収容体４０が支持軸回りに回動せずに、球状収容体４０を包囲する回動装飾部材５０のみを支持軸回りに回動させる新たな回転演出を行うことができる。また、駆動装置は、駆動モータが球状収容体４０内に収容されるから、球状収容体４０外に設けられるものに比して装置構成をコンパクトにすることができる。【選択図】図１３
2018191996.tif 000002
【特許請求の範囲】
【請求項１】
遊技機に用いられる遊技機用演出装置であって、
支持軸が設けられたベース部材と、
前記ベース部材の前記支持軸に取り付けられ、内部に収容空間を有する収容体と、
前記収容体を包囲するように配置され、前記支持軸回りに回動可能に該支持軸に支持される回動部材と、
前記収容体内に収容される駆動源を有し、前記駆動源の駆動力を前記収容体外に伝達可能な駆動手段と、
を備え、
前記駆動手段は、前記駆動源の駆動力を前記支持軸回りの回動力として前記回動部材に伝達することで前記回動部材を前記支持軸回りに回動させる
遊技機用演出装置。
【請求項２】
請求項１に記載の遊技機用演出装置であって、
前記ベース部材は、遊技機に対して回動不能に固定された固定ベース部材と、前記支持軸が設けられ前記固定ベース部材に対して前記支持軸と直交する直交軸回りに回動可能な回動ベース部材と、を有し、
前記収容体は、前記支持軸回りに回動不能に該支持軸に支持されており、
前記駆動手段は、前記駆動源の駆動力を前記直交軸回りの回動力として前記固定ベース部材に伝達し、前記固定ベース部材からの反力により前記回動ベース部材を回動させることで前記収容体および前記回動部材を前記直交軸回りに回動させる
遊技機用演出装置。
【請求項３】
請求項２に記載の遊技機用演出装置であって、
前記駆動手段は、一の前記駆動源と、前記駆動源の駆動力を前記支持軸回りの回動力として前記収容体外に伝達する第１伝達機構と、前記駆動源の駆動力を前記直交軸回りの回動力として前記収容体外に伝達する第２伝達機構と、を有する
遊技機用演出装置。
【請求項４】
請求項１ないし３のいずれか１項に記載の遊技機用演出装置であって、
前記回動部材は、断面が円形状に形成された支持孔を有し、
前記支持軸は、前記支持孔を介して前記回動部材を回動可能に支持するように断面が非円形状に形成された軸部材であり、
前記支持孔と前記支持軸との間に形成される領域を、前記収容体内に電気配線を通すための配線通過領域として用いる
遊技機用演出装置。
【請求項５】
請求項１ないし４のいずれか１項に記載の遊技機用演出装置であって、
前記収容体は、光透過性の部材で形成され、
前記収容体内に収容される発光手段を備える
遊技機用演出装置。
【発明の詳細な説明】
【技術分野】
【０００１】
本発明は、遊技機用演出装置に関する。
【背景技術】
【０００２】
従来、この種の遊技機用演出装置としては、半球状の第１装飾面および第２装飾面が前後に配置された球体状の装飾体を回転させるものが提案されている（例えば、特許文献１参照）。この遊技機用演出装置では、球体中心を通る水平面内で左右方向となる第１軸回りに装飾体を回転させる第１駆動モータと、水平面内で第１軸に直交する前後方向となる第２軸回りに装飾体を回転させる第２駆動モータとを備える。そして、例えば、第１装飾面を前方に向けた状態で第２駆動モータを駆動させて第２軸回りに装飾体を回転させている最中に、第１駆動モータを駆動させて第２装飾面が前方を向くように装飾体を第１軸回りに回転させる。これにより、装飾の異なる第２装飾面に突然切り替えると共に第２装飾面の第２軸回りの回転方向を第１装飾面の第２軸回りの回転方向と逆方向として、遊技者にインパクトを与える演出効果の高い回転演出を行うことができるとしている。
【先行技術文献】
【特許文献】
【０００３】
【特許文献１】特開２０１７−６５２６号公報
【発明の概要】
【発明が解決しようとする課題】
【０００４】
上述した遊技機用演出装置では、演出効果の高い回転演出を行うために第１駆動モータと第２駆動モータとの２つのモータを備える必要があり、駆動装置の構成が複雑となるだけでなく、コスト面でも不利となる。
【０００５】
本発明の遊技機用演出装置は、簡易な構成で演出効果の高い回転演出を行うことを主目的とする。
【課題を解決するための手段】
【０００６】
本発明の遊技機用演出装置は、上述の主目的を達成するために以下の手段を採った。
【０００７】
本発明の遊技機用演出装置は、
遊技機に用いられる遊技機用演出装置であって、
支持軸が設けられたベース部材と、
前記ベース部材の前記支持軸に取り付けられ、内部に収容空間を有する収容体と、
前記収容体を包囲するように配置され、前記支持軸回りに回動可能に該支持軸に支持される回動部材と、
前記収容体内に収容される駆動源を有し、前記駆動源の駆動力を前記収容体外に伝達可能な駆動手段と、
を備え、
前記駆動手段は、前記駆動源の駆動力を前記支持軸回りの回動力として前記回動部材に伝達することで前記回動部材を前記支持軸回りに回動させる
ことを要旨とする。
【０００８】
本発明の遊技機用演出装置は、ベース部材の支持軸に取り付けられる収容体内に収容される駆動源を有し、駆動源の駆動力を収容体外に伝達可能な駆動手段が、駆動源の駆動力を支持軸回りの回動力として、収容体を包囲する回動部材に伝達させることで回動部材を支持軸回りに回動させる。これにより、収容体が支持軸回りに回転せずに、収容体を包囲する回動部材のみを支持軸回りに回動させる趣向を凝らした回転演出を行うことができる。また、駆動手段は、駆動源が収容体内に収容されて駆動力を収容体外に伝達可能であるから、駆動源が収容体外に設けられるものに比して装置構成をコンパクトにすることができる。これらのことから、簡易な構成で演出効果の高い回転演出を行うことができる。
【０００９】
本発明の遊技機用演出装置において、前記ベース部材は、遊技機に対して回動不能に固定された固定ベース部材と、前記支持軸が設けられ前記固定ベース部材に対して前記支持軸と直交する直交軸回りに回動可能な回動ベース部材と、を有し、前記収容体は、前記支持軸回りに回動不能に該支持軸に支持されており、前記駆動手段は、前記駆動源の駆動力を前記直交軸回りの回動力として前記固定ベース部材に伝達し、前記固定ベース部材からの反力により前記回動ベース部材を回動させることで前記収容体および前記回動部材を前記直交軸回りに回動させるものとすることもできる。こうすれば、回動部材を支持軸回りに回動させるだけでなく、支持軸に直交する直交軸回りに収容体および回動部材を回動させることができるから、回転演出の動作を複雑なものとして演出効果をより高めることができる。
【００１０】
本発明の遊技機用演出装置において、前記駆動手段は、一の前記駆動源と、前記駆動源の駆動力を前記支持軸回りの回動力として前記収容体外に伝達する第１伝達機構と、前記駆動源の駆動力を前記直交軸回りの回動力として前記収容体外に伝達する第２伝達機構と、を有するものとすることもできる。こうすれば、支持軸回りの回動部材の回動と、直交軸回りの収容体および回動部材の回動とが同時に行われるから、回転演出の動作をより複雑なものとすることができる。また、駆動源として一の駆動源を備えればよいから、簡易な構成で複雑な回転演出を実現することができる。
【００１１】
本発明の遊技機用演出装置において、前記回動部材は、断面が円形状に形成された支持孔を有し、前記支持軸は、前記支持孔を介して前記回動部材を回動可能に支持するように断面が非円形状に形成された軸部材であり、前記支持孔と前記支持軸との間に形成される領域を、前記収容体内に電気配線を通すための配線通過領域として用いるものとすることもできる。こうすれば、駆動源を収容体内に収容する構成とした場合でも、電気配線の引き回しを容易なものとすることができる。
【００１２】
本発明の遊技機用演出装置において、前記収容体は、光透過性の部材で形成され、前記収容体内に収容される発光手段を備えるものとすることもできる。こうすれば、回動部材の回転演出に合わせて発光手段を発光させ、その発光を収容体を介して遊技者に視認させることができるから、演出効果を一層高めることができる。
【発明の効果】
【００１３】
本発明の遊技機用演出装置によれば、簡易な構成で演出効果の高い回転演出を行うことができる。
【図面の簡単な説明】
【００１４】
【図１】演出装置２０を備える遊技機１の構成図である。
【図２】演出装置２０の構成図である。
【図３】演出装置２０の斜視図である。
【図４】球状収容体４０と回動装飾部材５０の一部の構成を省略した演出装置２０の構成図である。
【図５】演出装置２０の一部の構成を省略した分解斜視図である。
【図６】演出装置２０の一部の構成を省略した分解斜視図である。
【図７】回動装飾部材５０の分解斜視図である。
【図８】配線通過領域Ｒｆｃの説明図である。
【図９】環状ベース部材３０と駆動装置６０の斜視図である。
【図１０】環状ベース部材３０と駆動装置６０の斜視図である。
【図１１】装飾枠３８と駆動装置６０の斜視図である。
【図１２】装飾枠３８と駆動装置６０の斜視図である。
【図１３】第２回動軸回りの回動の様子を示す説明図である。
【図１４】演出装置２０の回動の様子を模式的に示す説明図である。
【発明を実施するための形態】
【００１５】
次に、本発明を実施するための形態について説明する。
【００１６】
図１は演出装置２０を備える遊技機１の構成図であり、図２は演出装置２０の構成図であり、図３は演出装置２０の斜視図であり、図４は球状収容体４０と回動装飾部材５０の一部の構成を省略した演出装置２０の構成図である。また、図５，図６は演出装置２０の一部の構成を省略した分解斜視図であり、図７は回動装飾部材５０の分解斜視図であり、図８は配線通過領域Ｒｆｃの説明図である。また、図９，図１０は環状ベース部材３０と駆動装置６０の斜視図であり、図１１，図１２は装飾枠３８と駆動装置６０の斜視図である。
【００１７】
遊技機１は、図１に示すように、略長方形状の本体２と、本体２の前面中央に設けられ遊技球が流下可能な遊技領域を有する遊技盤３と、遊技盤３の上方に設けられ種々の効果音や報知音を出力するスピーカ４と、遊技盤３の下方に設けられ遊技球を貯留する上受け皿５および下受け皿６と、上受け皿５に貯留されている遊技球を遊技盤３へ発射するための発射ハンドル７と、上受け皿５の中央に設けられ遊技者による入力操作が可能な操作ボタン８と、を備える。
【００１８】
遊技盤３は、遊技領域の右下部に配置された図柄表示装置１１と、遊技領域の中央に配置され各種演出画像を表示する液晶表示装置１２と、液晶表示装置１２の下方に配置され遊技球が入球可能な第１始動口（固定始動口）１３と、第１始動口１３の下方に開閉可能に配置され遊技球が入球可能な第２始動口（可変始動口）１４と、液晶表示装置１２の右下に開閉可能に配置され遊技球が入球可能な大入賞口１５と、遊技領域の下方まで流下した遊技球を回収するためのアウト口１６と、２つの軸周りに回転可能に構成された演出部材を作動させる回転演出を行う演出装置２０と、が設けられている。なお、本実施形態では、演出装置２０が遊技盤３の外周に沿った右上位置と左上位置、右下位置、左下位置の４箇所に計４個配置されている。図２以降の各図は、右上位置の演出装置２０を示しており、上下左右方向（前後方向）も右上位置の演出装置２０を基準としている。ただし、左上位置の演出装置２０は左右対称である点を除いて右上位置の演出装置２０と同じ構成であり、右下位置の演出装置２０は上下対称である点を除いて右上位置の演出装置２０と同じ構成であり、左下位置の演出装置２０は上下及び左右対称である点を除いて右上位置の演出装置２０と同じ構成である。このため、４つの演出装置２０を特に区別することなく説明する。
【００１９】
遊技機１は、第１始動口１３や第２始動口１４への遊技球の入球に伴い、図柄表示装置１１で特別図柄の変動表示を行い、特別図柄の変動表示の終了に伴い特別図柄が大当り図柄で停止表示されると、大入賞口１５を開放する大当り遊技を実行するパチンコ機として構成されている。また、遊技機１は、特別図柄の変動表示中に、液晶表示装置１２で演出図柄を変動表示させる図柄変動演出を行う。図柄変動演出では、演出図柄の変動表示を伴ってリーチ演出や予告演出、ボタン演出などが行われる。また、演出装置２０は、リーチ演出や予告演出、ボタン演出などが行われる際に回転演出を実行し、回転演出における回転態様などにより、大当りの可能性を遊技者に示唆する。
【００２０】
演出装置２０は、図２〜図１０に示すように、支持部材２２と、環状ベース部材３０と、球状収容体４０と、回動装飾部材５０と、駆動装置６０とを備える。支持部材２２は、図示しないスライド装置により上下左右や斜めにスライド可能な断面略Ｌ字状のスライダに接続される水平面部２３と、面方向が水平面部２３の面方向に直交し環状ベース部材３０の円弧に沿って円弧状に設けられた円弧面部２４と、水平面部２３と円弧面部２４とを繋ぐよう傾斜した傾斜面部２５とが一体的に形成された部材である。図２〜図４では、断面略Ｌ字状のスライダの図示は省略するが、スライダと支持部材２２とに沿って設けられ、演出装置２０の制御装置と、駆動装置６０（後述する駆動モータ７０や検知センサ８８）や後述するＬＥＤ基板４５，４８と、を電気的に接続するための配線（例えばフラットケーブルＦＣ）を図示する。なお、図２（ａ）は演出装置２０の正面図、図２（ｂ）は演出装置２０の背面図、図２（ｃ）は演出装置２０の側面図である。図５は演出装置２０を前方側から見た分解斜視図、図６は演出装置２０を後方側から見た分解斜視図であり、回動装飾部材５０や駆動装置６０の一部の構成の図示を省略している。
【００２１】
環状ベース部材３０は、図２〜図６に示すように、円環状の枠部材として構成された固定枠３２、回動枠３４および装飾枠３８を備える。回動枠３４は、固定枠３２と装飾枠３８との間に回動可能に挟まれる部材であり、内周面から枠中心に向かって延びる支持軸３５と、枠中心を挟んで支持軸３５と対向する位置に径方向に貫通する支持孔３６とが設けられている。支持軸３５は、基端側が外周部の一部を平坦に加工する所謂Ｄカット加工を施した断面Ｄ字状（略半円柱状）で、先端側が断面矩形状（平板状）の部材であり、先端側に厚み方向（図５，図６中の前後方向）に貫通する２つの貫通孔３５ａが設けられている。なお、支持軸３５（支持孔３６と結ぶ軸線）を第１軸ともいう。装飾枠３８は、前面と外周壁面とに装飾が施され、環状の内周縁部の裏面の一部に円弧状の円弧ギヤ３９（図６参照）が設けられている。環状ベース部材３０は、装飾枠３８の外周壁内に、回動枠３４、固定枠３２をこの順に収めた状態で、支持部材２２の円弧面部２４と固定枠３２と装飾枠３８とをネジ止めすることにより、回動枠３４が回動可能な状態で一体化される。また、固定枠３２と装飾枠３８は、遊技機１（スライダ）に対して回動不能に固定される。
【００２２】
球状収容体４０は、図２，図３，図５，図６に示すように、半球状の前方カバー４１と、半球状の後方カバー４２とにより、駆動装置６０などを収容可能な球状の収容空間を形成するよう構成される部材である。前方カバー４１および後方カバー４２は、ポリカーボネイト、ＡＢＳ、アクリル樹脂などの光透過性（透明性）を有する樹脂材料で形成されている。
【００２３】
前方カバー４１は、内周面から円柱状に立設し先端側にネジ孔が形成された固定部４１ａと、固定部４１ａの先端面と略同じ高さ位置（図６の前後方向の位置）となるよう内周面に設けられた２つの爪部４１ｂとを有する。前方カバー４１内には、駆動装置６０の後述するベースカバー６６と共に固定される円形状のＬＥＤ基板４５（図４〜図６参照）が、固定部４１ａ（先端面）および２つの爪部４１ｂの三点に当接するように配置される。ＬＥＤ基板４５は、前面に複数のＬＥＤチップ４５ａが設けられると共に後面に検知センサ８８が設けられている。なお、検知センサ８８の検知対象については後述する。また、ＬＥＤ基板４５は、固定部４１ａのネジ孔に締結される取付ネジが挿通される貫通孔４５ｂなどが形成されている。
【００２４】
後方カバー４２は、内周面から中空円筒状に立設した固定部４２ａと、外周面側（図６の後方側）から固定部４２ａ内に取付ネジを挿入可能に形成された挿入孔４２ｂとを有する。後方カバー４２内には、駆動装置６０の後述する駆動ベース板６１と共に固定される円形状のＬＥＤ基板４８が配置される。ＬＥＤ基板４８は、前面に複数のＬＥＤチップ４８ａが設けられている。また、ＬＥＤ基板４８は、後述する駆動ベース板６１の接続部６４が挿通されるよう貫通した貫通孔４８ｂや駆動装置６０の駆動モータ７０の配置箇所が切り欠かれた切り欠き部４８ｃなどが形成されている。
【００２５】
回動装飾部材５０は、図２，図３，図７に示すように、球状収容体４０の外周面（球面）を包囲する蔦のような曲線状の装飾部材であり、上述した第１軸（支持軸３５）回りに回動可能に構成される。なお、図７では、回動枠３４も合わせて図示する。回動装飾部材５０は、図７に示すように、略球状の形状を構成するよう組み合わせられる半球状の２つの装飾部材５１Ａ，５１Ｂと、装飾部材５１Ａ，５１Ｂを組み合わせた状態で保持するための円盤状の第１保持プレート５７および第２保持プレート５９（図１１，図１２参照）を備える。装飾部材５１Ａ，５１Ｂは、いずれも軸方向の一端側に半円環状の半円環状部５２が設けられると共に軸方向の他端側に半円環状の半円環状部５３が設けられている。半円環状部５２は、軸方向外側からザグリ孔状に形成されて取付ネジが挿入される貫通孔５２ａと、軸方向内側に貫通孔５２ａを周方向に挟んだ２箇所に形成された取付孔５２ｂとが設けられている。半円環状部５３は、半円環状部５２と同様な形状に形成されており、貫通孔５３ａと取付孔５３ｂとが設けられている。装飾部材５１Ａ，５１Ｂを組み合わせると、半円環状部５２同士が接続されて軸方向の一端側に断面円形状の軸孔Ｒ（図８（ｂ）参照）を形成し、半円環状部５３同士が接続されて軸方向の他端側に断面円形状の軸孔（図示略）を形成する。
【００２６】
この回動装飾部材５０は、半円環状部５２同士の接続箇所における軸方向内側に第１保持プレート５７が取り付けられ、半円環状部５３同士の接続箇所における軸方向内側に第２保持プレート５９が取り付けられる。第１保持プレート５７は、図７に示すように、上述した軸孔Ｒに連通するよう中心部に貫通して形成された軸孔５７ａと、半円環状部５２の貫通孔５２ａに連通するネジ孔５７ｂと、半円環状部５２の取付孔５２ｂに嵌まる４つの凸部５７ｃとが形成されている。第２保持プレート５９は、図１１，図１２に示すように、第１保持プレート５７と同様に、軸孔５９ａとネジ孔５９ｂと凸部５９ｃとが形成されている。第１保持プレート５７は、装飾部材５１Ａ，５１Ｂを組み合わせた状態で、凸部５７ｃが半円環状部５２の取付孔５２ｂに嵌まると共に半円環状部５２の貫通孔５２ａに挿入された取付ネジがネジ孔５７ｂに締結されることで取り付けられる。同様に、第２保持プレート５９は、装飾部材５１Ａ，５１Ｂを組み合わせた状態で、凸部５９ｃが半円環状部５３の取付孔５３ｂに嵌まると共に半円環状部５３の貫通孔５３ａに挿入された取付ネジがネジ孔５９ｂに締結されることで取り付けられる。なお、第１保持プレート５７は、半円環状部５２に取り付けられる側とは反対側の面に、駆動装置６０の後述する第１伝達機構７５のピニオンギヤ７９に噛合するサイドギヤ５８が設けられている。
【００２７】
ここで、装飾部材５１Ａ，５１Ｂは、軸方向の一端側の軸孔Ｒに回動枠３４の支持軸３５が配置され、他端側の軸孔に駆動装置６０の後述する連結軸８５が配置されるように組み合わされる。図８（ａ）は球状収容体４０を省略して回動装飾部材５０と環状ベース部材３０（固定枠３２、回動枠３４）を側方から示す側面図であり、図８（ｂ）は図８（ａ）のＡ−Ａ断面図である。上述したように、回動枠３４の支持軸３５は、基端側が断面Ｄ字状に形成されており、外径（円弧部分の径）が軸孔Ｒおよび軸孔５７ａの内径よりも僅かに小さな径となっている。そして、断面円形状の軸孔Ｒおよび軸孔５７ａのうち、略半分（Ｄ字状）の領域は支持軸３５の基端側が占め、残りの領域は空いた領域（空間）となる。この残りの領域は、演出装置２０の制御装置と、駆動装置６０や上述したＬＥＤ基板４５，４８、検知センサ８８とを電気的に接続するフラットケーブルＦＣを通す配線通過領域Ｒｆｃとして用いられる。このように、支持軸３５が断面Ｄ字状の基端側で軸孔Ｒおよび軸孔５７ａを支持することで、装飾部材５１Ａ，５１Ｂおよび第１保持プレート５７のスムーズな回動を可能としつつ、配線通過領域Ｒｆｃを形成することが可能となる。
【００２８】
駆動装置６０は、図５，図６，図９〜図１２に示すように、駆動源としての一の駆動モータ７０と、駆動モータ７０の駆動力を第１軸（支持軸３５）回りの回動力として伝達する第１伝達機構７５と、駆動モータ７０の駆動力を第２軸（後述する支持軸６２）回りの回動力として伝達する第２伝達機構８０とを備える。駆動装置６０は、これらの各構成要素が配置される円盤状の駆動ベース板６１と、駆動ベース板６１に対向して取り付けられるベースカバー６６とによりユニット化された状態で球状収容体４０内に配置される。
【００２９】
駆動ベース板６１は、中心に支持軸６２を保持する保持孔６１ａが設けられ、外周部に回動装飾部材５０の第２保持プレート５９を回転可能に支持する円盤状のプレート支持部６３が設けられている。なお、図５，図６の左右方向が第１軸（支持軸３５）の方向であり、駆動ベース板６１の中心の保持孔６１ａに保持される支持軸６２は図５，図６の前後方向に沿うため、支持軸３５と支持軸６２とが直交することになる。このため、本実施形態では、この支持軸６２を、第２軸または直交軸ともいう。プレート支持部６３は、装飾部材５１Ａ，５１Ｂの他端側の軸孔と第２保持プレート５９の軸孔５９ａとに挿入されるよう第１軸方向に沿って中空状に立設する（径方向に貫通する）支持軸６３ａを備える。また、駆動ベース板６１は、ベースカバー６６との対向面に支持軸３５の２つの貫通孔３５ａとの連結部材（ピンなど）が挿入される挿入孔６１ｂが形成され、外周部にベースカバー６６を取り付けるための取付ネジが挿通される貫通孔６１ｃが形成されている。
【００３０】
また、駆動ベース板６１は、ベースカバー６６との対向面とは反対側の面に、後方カバー４２に接続されるよう立設した接続部６４と、ＬＥＤ基板４８を支持するよう立設した複数の支持部６５が設けられている。接続部６４は、先端側に後方カバー４２の固定部４２ａの貫通孔（挿入孔４２ｂ）に連通するネジ孔６４ａが形成され、ＬＥＤ基板４８の貫通孔４８ｂに挿通可能な円柱状部材である。なお、接続部６４の基端側の周囲の４箇所にも、支持部６５が設けられている。
【００３１】
ベースカバー６６は、駆動ベース板６１との対向面に、上述した貫通孔３５ａとの連結部材（ピンなど）が挿入される挿入孔６６ａが形成されている。また、駆動ベース板６１との対向面側にザグリ孔状に形成されて取付ネジが挿入される貫通孔６６ｂと、上述した検知センサ８８が駆動ベース板６１側に露出するよう矩形状に切り欠かれた切り欠き部６６ｃと、円柱状に立設し後述する扇板８１のガイド孔８１ｂに嵌合するガイド部材６６ｄとが設けられている。なお、ガイド部材６６ｄの先端は、駆動ベース板６１に形成された孔に嵌まり込むよう凸状に形成されている。また、ベースカバー６６は、先端側にネジ孔が形成されるよう立設した接続部６７と、駆動ベース板６１に取り付けられた状態でプレート支持部６３と対向する位置となる外周部に径方向に貫通する貫通孔６８ａが形成されたプレート支持部６８とが設けられている。プレート支持部６８は、貫通孔６８ａ内にサイドギヤ５８が配置された状態で、外面で第１保持プレート５７を回転可能に支持する。
【００３２】
このベースカバー６６は、図６の後方側から貫通孔６６ｂに挿入された取付ネジが、ＬＥＤ基板４５の貫通孔４５ｂを通り前方カバー４１の固定部４１ａのネジ孔に締結されることにより、ＬＥＤ基板４５と前方カバー４１とに一体化される。また、各構成要素が配置された駆動ベース板６１をベースカバー６６で覆った状態で、貫通孔６１ｃに挿入された取付ネジが接続部６７のネジ孔に締結されることにより、駆動ベース板６１とベースカバー６６（前方カバー４１，ＬＥＤ基板４５）とが一体化される。また、駆動ベース板６１は、後面側の接続部６４がＬＥＤ基板４８の貫通孔４８ｂを挿通し固定部４２ａの貫通孔（挿入孔４２ｂ）にネジ孔６４ａが連通すると共に支持部６５がＬＥＤ基板４８を支持する状態で、図６の後方側から後方カバー４２の挿入孔４２ｂに挿入された取付ネジがネジ孔６４ａに締結されることで後方カバー４２とＬＥＤ基板４８とに一体化される。なお、駆動ベース板６１とベースカバー６６とは、連結部材を介して支持軸３５に固定されるから、支持軸３５（第１軸）回りに回動不能となり、回動枠３４と共に支持軸６２回りに回動可能となる。このため、前方カバー４１がベースカバー６６と一体となり、後方カバー４２が駆動ベース板６１と一体となる球状収容体４０も、支持軸３５（第１軸）回りに回動不能となり、回動枠３４と共に支持軸６２回りに回動可能となる。
【００３３】
駆動モータ７０は、図９，図１０に示すように、図示しない出力軸が支持軸６２（第２軸）と同方向に延びるよう駆動ベース板６１の後面側に配置され、駆動ベース板６１を貫通して前面側に延びた出力軸に、円盤状の駆動ディスク７１が取り付けられている。駆動ディスク７１は、駆動モータ７０の出力軸が円盤の中心に接続されており、外周に駆動ギヤ７２が設けられ、駆動ベース板６１側とは反対側となる前面の偏心位置に駆動ピン７３が設けられている。
【００３４】
第１伝達機構７５は、図９〜図１２に示すように、駆動ディスク７１の駆動ギヤ７２に噛合する従動ギヤ７６と、駆動ベース板６１を貫通する連結軸を介して従動ギヤ７６に同軸に連結される中間ギヤ７７と、中間ギヤ７７に噛合する伝達ギヤ７８と、伝達ギヤ７８と同軸に回転すると共に回動装飾部材５０の第１保持プレート５７のサイドギヤ５８に噛合するピニオンギヤ７９とを備える。第１伝達機構７５は、駆動モータ７０の駆動力を、駆動ギヤ７２、従動ギヤ７６、中間ギヤ７７、伝達ギヤ７８を介して順に伝達し、ピニオンギヤ７９およびサイドギヤ５８（かさ歯車）により第１保持プレート５７の支持軸３５回りの回動力に回動方向を変換して出力するのである。第１保持プレート５７は、回動装飾部材５０を保持するから、第１伝達機構７５が伝達する駆動力により、回動装飾部材５０が支持軸３５（第１軸）回りに回動することになる。このように、第１伝達機構７５は、駆動モータ７０の駆動力を回動装飾部材５０の第１軸回りの回動力として伝達する。
【００３５】
第２伝達機構８０は、図９〜図１２に示すように、扇中心が支持軸６２に支持されて駆動ディスク７１の駆動ピン７３がスライド可能に嵌合するスライド孔８１ａが径方向に設けられた扇板８１と、扇板８１の外周縁部の後面側に設けられた円弧状の円弧ギヤ８２に噛合する従動ギヤ８３と、装飾枠３８の円弧ギヤ３９に噛合する伝達ギヤ８４と、従動ギヤ８３と伝達ギヤ８４とを同軸に連結する連結軸８５とを備える。なお、連結軸８５は、プレート支持部６３の支持軸６３ａを貫通し、その先端が回動枠３４の支持孔３６に支持されている。このため、連結軸８５は、装飾部材５１Ａ，５１Ｂの他端側の軸孔と第２保持プレート５９の軸孔５９ａも貫通することになる。扇板８１には、ベースカバー６６のガイド部材６６ｄがスライド可能に嵌合する円弧状のガイド孔８１ｂが周方向に形成されている。また、扇板８１には、扇中心の近傍に検知センサ８８により検知可能な被検知片８１ｃが設けられている。検知センサ８８が被検知片８１ｃを検知することにより、扇板８１の初期位置を検知可能となっている。
【００３６】
この第２伝達機構８０は、駆動モータ７０の駆動（駆動ディスク７１の回転）により駆動ピン７３が周方向に移動すると、スライド孔８１ａ内を駆動ピン７３が往復動して扇板８１が支持軸６２回りに回動（揺動）する。即ち、駆動モータ７０の駆動力を扇板８１の中心軸（支持軸６２）回りの回動（揺動）に変換する。そして、第２伝達機構８０は、扇板８１の回動力を円弧ギヤ８２、従動ギヤ８３、連結軸８５、伝達ギヤ８４を介して円弧ギヤ３９に伝達する。円弧ギヤ３９が設けられた装飾枠３８は固定枠３２（支持部材２２）に固定されているため、伝達した回動力の反力により従動ギヤ８３および伝達ギヤ８４（連結軸８５）が周方向に沿って移動（往復動）することになる。即ち、従動ギヤ８３および伝達ギヤ８４（連結軸８５）は、扇板８１の回動中心である支持軸６２（第２軸）回りに周方向に往復動する。連結軸８５は、駆動ベース板６１の支持部６３（支持軸６３ａ）と、第２保持プレート５９とを貫通し、回動枠３４の支持孔３６に支持されているから、連結軸８５が支持軸６２（第２軸）回りに周方向に往復動すると、駆動ベース板６１と第２保持プレート５９と回動枠３４とが第２軸回りに回動することになる。このため、駆動ベース板６１を収容保持する球状収容体４０と、第２保持プレート５９に保持される回動装飾部材５０も第２軸回りに回動する。このように、第２伝達機構８０は、駆動モータ７０の駆動力を第２軸（支持軸６２）回りの回動（揺動）に変換して、球状収容体４０および回動装飾部材５０に第２軸（支持軸６２）回りの回動力として伝達するのである。なお、第１伝達機構７５と第２伝達機構８０は、いずれも駆動モータ７０の出力軸に取り付けられる駆動ディスク７１を介して駆動力が伝達されるから、駆動モータ７０が駆動するといずれも駆動力を伝達するものとなる。
【００３７】
図１３は、第２回動軸回りの回動の様子を示す説明図である。図示するように、球状収容体４０および回動装飾部材５０が第２軸回りに、回動（揺動）範囲の一端側（図１３（ａ））から他端側（図１３（ｂ））まで回動する。なお、第２軸回りの回動に伴って移動するフラットケーブルＦＣの移動位置として、回動範囲の一端側の位置と他端側の位置、中央位置を実線または点線で図示する。上述した配線通過領域Ｒｆｃは、支持軸３５と軸孔Ｒとの間の領域であり、第１軸回りの回動によってフラットケーブルＦＣが捻れたりすることはない。このため、フラットケーブルＦＣは、第２軸回りの回動（揺動）に追従可能となるように引き回せばよいから、フラットケーブルＦＣの引き回しを容易なものとすることができる。
【００３８】
こうして構成された演出装置２０の動作について説明する。図１４は演出装置２０の回動の様子を模式的に示す説明図である。図１４では、支持部材２２や環状ベース部材３０などの図示を省略し球状収容体４０と回動装飾部材５０とを図示する。また、図示の便宜上、回動装飾部材５０の装飾部材５１Ａ，５１Ｂを複数の仮想装飾線５０ａ（大きな点線），５０ｂ（小さな点線）として示す。仮想装飾線５０ａ，５０ｂは、球状収容体４０の球面上に第１軸方向における一端側から他端側まで経度線のように引いた仮想線である。上述したように、駆動モータ７０が駆動すると、第１伝達機構７５および第２伝達機構８０がいずれも駆動力を伝達するため、第１軸回りに仮想装飾線５０ａ，５０ｂが移動し、同時に、第２軸回りに球状収容体４０と仮想装飾線５０ａ，５０ｂとが回動する。即ち、仮想装飾線５０ａ，５０ｂが第２軸回りの傾きを変化させながら第１軸回りに移動（回動）するため、第１軸の傾きを変化させながら回動装飾部材５０を第１軸回りに回動させることができる。このため、回動装飾部材５０（装飾部材５１Ａ，５１Ｂ）が、あたかも蔦の向きや形状を変化させるように動きながら回動するように見せることができる。特に、回動装飾部材５０の蔦の形状は、規則性のない形状であるため、回動装飾部材５０が第１軸回り及び第２軸回りに同時に回動すると、自在に回動（不規則に回動）しているように見せることができる。また、演出装置２０は、第１軸に対して、球状収容体４０が回動せず回動装飾部材５０が回動するものであるが、球状収容体４０（前方カバー４１）の表面に図柄や模様などの装飾が設けられていなければ、回動装飾部材５０の回動に合わせて球状収容体４０も第１軸回りに一緒に回動しているように見せることができる。なお、球状収容体４０（前方カバー４１）の表面に図柄や模様などの装飾を設けることにより、球状収容体４０が第１軸回りに回動せず、第２軸回りに回動する様子を把握し易くさせてもよい。
【００３９】
また、図示は省略するが、回動装飾部材５０の回動に合わせてＬＥＤ基板４５，４８のＬＥＤチップ４５ａ，４８ａを発光させ、球状収容体４０（前方カバー４１）を介して発光を視認させることで、演出効果をより高めることができる。さらに、ＬＥＤチップ４５ａ，４８ａの発光の有無や発光色（フルカラーの切り替え）の違いなどにより、大当りの可能性を示唆することもできる。また、演出装置２０は、上述したように図示しないスライド装置により上下左右や斜めにスライド可能なスライダに取り付けられるから、演出装置２０毎に回転演出にスライド（移動）の有無を組み合わせることで大当りの可能性を示唆することもできる。このように、球状収容体４０を第１軸回りに回動させることなく回動装飾部材５０を第１軸回りに回動させ、且つ、球状収容体４０と回動装飾部材５０とを第２軸回りに回動させることで、演出装置２０の回転演出の動きを複雑なものに見せることができるから、演出効果を高めて遊技興趣を向上させることができる。
【００４０】
以上説明した本実施形態の演出装置２０は、環状ベース部材３０に取り付けられる球状収容体４０と、球状収容体４０を包囲するように配置される回動装飾部材５０と、球状収容体４０内に収容される駆動モータ７０を有する駆動装置６０と、を備え、駆動モータ７０の駆動力を球状収容体４０に伝達させることなく、支持軸３５（第１軸）回りの回動力として回動装飾部材５０に伝達させることで回動装飾部材５０を支持軸３５回りに回動させる。これにより、球状収容体４０が支持軸３５回りに回転せずに、球状収容体４０を包囲する回動装飾部材５０のみを支持軸３５回りに回動させる趣向を凝らした回転演出を行うことができる。また、駆動装置６０は、駆動モータ７０が球状収容体４０内に収容され駆動力を球状収容体４０外に伝達可能であるから、駆動装置６０が球状収容体４０外に設けられるものに比して演出装置２０の構成をコンパクトなものとすることができる。これらのことから、簡易な構成で演出効果の高い回転演出を行うことができる。
【００４１】
また、演出装置２０は、環状ベース部材３０が固定枠３２（装飾枠３８）と支持軸３５が設けられ回動可能な回動枠３４とを有する。また、球状収容体４０は、駆動装置６０の駆動ベース板６１（ベースカバー６６）を介して支持軸３５に回動不能に取り付けられ、駆動装置６０は、駆動モータ７０の駆動力を球状収容体４０外の固定枠３２（装飾枠３８）に伝達可能であり、固定枠３２（装飾枠３８）からの反力により回動枠３４を回動させることで球状収容体４０と回動装飾部材５０とを支持軸６２（第２軸）回りに回動させる。これにより、回動装飾部材５０を支持軸３５（第１軸）回りに回動させるだけでなく、支持軸６２（第２軸、直交軸）回りに球状収容体４０と回動装飾部材５０とを回動させることができるから、回転演出の動作を複雑なものとして演出効果を高めることができる。
【００４２】
また、演出装置２０は、駆動装置６０が、一の駆動モータ７０と、駆動モータ７０の駆動力を支持軸３５（第１軸）回りの回動力として球状収容体４０外に伝達する第１伝達機構７５と、駆動モータ７０の駆動力を支持軸６２（第２軸、直交軸）回りの回動力として球状収容体４０外に伝達する第２伝達機構８０とを備える。これにより、支持軸３５（第１軸）回りの回動装飾部材５０の回動と、支持軸６２（第２軸、直交軸）回りの球状収容体４０および回動装飾部材５０の回動とが同時に行われるから、回転演出の動作をより複雑なものとして演出効果を一層高めることができる。また、駆動源として一の駆動モータ７０を備えればよいから、簡易な構成で複雑な回転演出を実現することができる。
【００４３】
また、演出装置２０は、回動装飾部材５０が断面円形状の軸孔Ｒを有し、支持軸３５は基端側が断面Ｄ字状の軸部材となっている。そして、軸孔Ｒと支持軸３５との間の領域がフラットケーブルＦＣを通す配線通過領域Ｒｆｃとして用いられる。これにより、駆動モータ７０などを球状収容体４０内に収容する構成とした場合でも、フラットケーブルＦＣの引き回しを容易なものとすることができる。
【００４４】
また、演出装置２０は、球状収容体４０が光透過性の部材で形成され、球状収容体４０内にＬＥＤ基板４５，４８を備える。このため、演出装置２０の回転演出に合わせたＬＥＤ基板４５，４８の発光を球状収容体４０を介して遊技者に視認させることができるから、演出効果を一層高めることができる。
【００４５】
本実施形態では、球状収容体４０内に２つのＬＥＤ基板４５，４８を備えるものとしたが、これに限られるものではない。例えば、後方側のＬＥＤ基板４８を備えず、前方側のＬＥＤ基板４５のみを備えてもよい。あるいは、球状収容体４０内にＬＥＤ基板４５，４８を備えないものとして、球状収容体４０が光透過性を有さない部材で形成されていてもよい。
【００４６】
本実施形態では、軸孔Ｒと断面Ｄ字状の支持軸３５との間の領域を配線通過領域Ｒｆｃとしたが、これに限られるものではない。例えば、支持軸３５は断面Ｄ字状に限られず、断面半円形状あるいは断面円形状から一部が欠けた形状などの非円形状に形成されており、断面円形状の軸孔Ｒとの間（隙間）の領域を配線通過領域としてもよい。あるいは、支持軸３５を内部が貫通した中空状に形成し、その内部空間を配線通過領域とするものなどとしてもよい。
【００４７】
本実施形態では、支持軸３５（第１軸）に直交する支持軸６２（第２軸、直交軸）回りに球状収容体４０と回動装飾部材５０を回動させるものとしたが、これに限られず、支持軸６２回りに球状収容体４０と回動装飾部材５０を回動させずに固定されているものとしてもよい。このようにする場合、回動装飾部材５０のみを支持軸３５（第１軸）回りに回動させればよいから、環状ベース部材３０が、回動枠３４を備えず、装飾枠３８に円弧ギヤ３９が形成されず、駆動装置６０が第２伝達機構８０を備えないものなどとすればよい。
【００４８】
本実施形態では、球状収容体４０を球状に形成したが、これに限られず、正四面体や正六面体などの正多面体状など他の形状に形成してもよい。また、可動装飾部材５０は、球状収容体４０の外周面（球面）に沿って略球状に形成したが、これに限られず、収容体を包囲するような形状に形成されるものであればよい。
【００４９】
本実施形態では、球状収容体４０が駆動装置６０の駆動ベース板６１（ベースカバー６６）を介して間接的に支持軸３５（第１軸）に支持されるものとしたが、これに限られず、球状収容体４０が支持軸３５に直接支持されるものなどとしてもよい。
【００５０】
本実施形態では、環状ベース部材３０を環状としたが、これに限られず、球状収容体４０や回動装飾部材５０を支持し且つ少なくとも回動装飾部材５０を回動可能に支持する支持軸３５が設けられるものであれば、円弧状など他の形状であってもよい。
【００５１】
本実施形態では、説明の便宜上、駆動装置６０の支持軸６２を第２軸（直交軸）としたが、これに限られず、第１軸としての支持軸３５に直交し環状ベース部材３０の回動枠３４の回動中心となる軸が第２軸（直交軸）となるものである。そのような第２軸（直交軸）は、必ずしも駆動装置６０の支持軸６２と一致するものに限られず、支持軸６２に対して若干ずれていてもよい。即ち、回動枠３４の回動中心としての第２軸と、支持軸６２とが若干ずれていても構わない。
【００５２】
本実施形態では、演出装置２０が遊技盤３の外周に沿った４箇所に計４個配置されるものとしたが、これに限られず、４個未満であってもよいし、５個以上であってもよい。また、遊技盤３の外周に沿った箇所に限られず、例えば、操作ボタン８を光透過性を有する素材で形成してその内部に演出装置２０が配置されてもよいし、本体２の前面中央の上部に演出装置２０が配置されるものなどとしてもよい。また、演出装置２０がスライダに取り付けられて上下左右に移動可能なものを例示したが、これに限られず、移動しないよう固定されるものであってもよい。
【００５３】
また、本発明をパチンコ機１に適用するものとしたが、これに限定されるものではなく、パチンコ機以外の遊技機、例えばスロットマシンやスロットマシンとパチンコ機との融合機、その他の遊技機に本発明を適用してもよい。
【００５４】
本実施形態の主要な要素と課題を解決するための手段の欄に記載した発明の主要な要素との対応関係について説明する。本実施形態では、演出装置２０が「遊技機用演出装置」に相当し、支持軸３５が「支持軸」に相当し、環状ベース部材３０が「ベース部材」に相当し、球状収容体４０が「収容体」に相当し、回動装飾部材５０が「回動部材」に相当し、駆動装置６０が「駆動手段」に相当する。固定枠３２および装飾枠３８が「固定ベース部材」に相当し、回動枠３４が「回動ベース部材」に相当する。駆動モータ７０が「駆動源」に相当し、第１伝達機構７５が「第１伝達機構」に相当し、第２伝達機構８０が「第２伝達機構」に相当する。軸孔Ｒが「貫通孔」に相当し、配線通過領域Ｒｆｃが「配線通過領域」に相当する。ＬＥＤ基板４５，４８が「発光手段」に相当する。
【００５５】
以上、本発明の実施の形態について説明したが、本発明はこうした実施形態に何等限定されるものではなく、本発明の要旨を逸脱しない範囲内において、種々なる形態で実施し得ることは勿論である。
【符号の説明】
【００５６】
１  遊技機、２  本体、３  遊技盤、４  スピーカ、５  上受け皿、６  下受け皿、７  発射ハンドル、８  操作ボタン、１１  図柄表示装置、１２  液晶表示装置、１３  第１始動口、１４  第２始動口、１５  大入賞口、１６  アウト口、２０  演出装置、２２  支持部材、２３  水平面部、２４  円弧面部、２５  傾斜面部、３０  環状ベース部材、３２  固定枠、３４  回動枠、３５  支持軸、３５ａ  貫通孔、３６  支持孔、３８  装飾枠、３９  円弧ギヤ、４０  球状収容体、４１  前方カバー、４１ａ，４２ａ  固定部、４１ｂ  爪部、４２  後方カバー、４２ｂ  挿入孔、４５，４８  ＬＥＤ基板、４５ａ，４８ａ  ＬＥＤチップ、４５ｂ，４８ｂ  貫通孔、４８ｃ  切り欠き部、５０  回動装飾部材、５０ａ，５０ｂ  仮想装飾線、５１Ａ，５１Ｂ  装飾部材、５２，５３  半円環状部、５２ａ，５３ａ  貫通孔、５２ｂ，５３ｂ  取付孔、５７  第１保持プレート、５７ａ，５９ａ  軸孔、５７ｂ，５９ｂ  ネジ孔、５７ｃ，５９ｃ  凸部、５８  サイドギヤ、５９  第２保持プレート、６０  駆動装置、６１  駆動ベース板、６１ａ  保持孔、６１ｂ  挿入孔、６１ｃ  貫通孔、６２  支持軸、６３  プレート支持部、６３ａ  支持軸、６４  接続部、６４ａ  ネジ孔、６６  ベースカバー、６６ａ  挿入孔、６６ｂ  貫通孔、６６ｃ  切り欠き部、６６ｄ  ガイド部材、６７  接続部、６８  プレート支持部、６８ａ  貫通孔、７０  駆動モータ、７１  駆動ディスク、７２  駆動ギヤ、７３  駆動ピン、７５  第１伝達機構、７６  従動ギヤ、７７  中間ギヤ、７８  伝達ギヤ、７９  ピニオンギヤ、８０  第２伝達機構、８１  扇板、８１ａ  スライド孔、８１ｂ  ガイド孔、８１ｃ  被検知片、８２  円弧ギヤ、８３  従動ギヤ、８４  伝達ギヤ、８５  連結軸、８８  検知センサ、ＦＣ  フラットケーブル、Ｒ  軸孔、Ｒｆｃ  配線通過領域。
【図１】
2018191996.tif 000003
【図２】
2018191996.tif 000004
【図３】
2018191996.tif 000005
【図４】
2018191996.tif 000006
【図５】
2018191996.tif 000007
【図６】
2018191996.tif 000008
【図７】
2018191996.tif 000009
【図８】
2018191996.tif 000010
【図９】
2018191996.tif 000011
【図１０】
2018191996.tif 000012
【図１１】
2018191996.tif 000013
【図１２】
2018191996.tif 000014
【図１３】
2018191996.tif 000015
【図１４】
2018191996.tif 000016